(57)【要約】【課題】登攀ピッチが多様であり、自然の風景と混ざり合って美しい景観や日陰を作ることができ、しかも大きさの異なるものを容易に作れる登攀運動系遊具を提供することにある。【解決手段】板面と直交する方向へ互いに間隔を空けて配置される少なくとも２枚の基本構成板１と、立った姿勢のそれら基本構成板１に立った姿勢で両側端部をそれぞれそれら基本構成板１に対し角度を持って結合される少なくとも１枚の連結板２と、を具え、前記基本構成板１および前記連結板２にはそれぞれ、穴および／または切り欠きによって、互いに上辺の高さが異なる複数の手足掛け部１ａ，２ａが形成され、前記複数の手足掛け部１ａ，２ａの少なくとも一つは上辺が傾斜している登攀運動系遊具である。【選択図】図１
0003165097.tif 000002
【実用新案登録請求の範囲】
【請求項１】
板面と直交する方向へ互いに間隔を空けて配置される少なくとも２枚の基本構成板（１）と、
立った姿勢のそれら基本構成板（１）に立った姿勢で両側端部をそれぞれそれら基本構成板（１）に対し角度を持って結合される少なくとも１枚の連結板（２）と、
を具え、
前記基本構成板（１）および前記連結板（２）にはそれぞれ、穴および／または切り欠きによって、互いに上辺の高さが異なる複数の手足掛け部（１ａ，２ａ）が形成され、
前記複数の手足掛け部（１ａ，２ａ）の少なくとも一つは上辺が傾斜している登攀運動系遊具。
【請求項２】
前記基本構成板（１）および前記連結板（２）のうち少なくとも基本構成板（１）の、前記複数の手足掛け部（１ｂ，２ｂ）の少なくとも一つは上方に行くほど幅狭になっていることを特徴とする、請求項１記載の登攀運動系遊具。
【請求項３】
前記連結板（２）は、鉛直に立った姿勢の前記基本構成板（１）に鉛直に立った姿勢で両側端部をそれぞれそれら基本構成板（１）に対し直角に結合されることを特徴とする、請求項１または２記載の登攀運動系遊具。
【請求項４】
前記基本構成板（１）および／または前記連結板（２）の下部にはベンチ（４）が水平に固定されていることを特徴とする、請求項１から３までの何れか記載の登攀運動系遊具。
【考案の詳細な説明】
【技術分野】
【０００１】
この考案は、公園等に設置される登攀運動系遊具に関し、特には平板の組み合わせにより構成される拡張可能な登攀運動系遊具に関するものである。
【背景技術】
【０００２】
従来の登攀運動系遊具としては例えばジャングルジムが知られており、ジャングルジムは通常、縦横に一定間隔で多数配置した鉄パイプの交差位置をジョイントで繋ぐことで、立方体あるいは直方体状に構成されている（非特許文献１参照）。
【先行技術文献】
【特許文献】
【０００３】
【非特許文献１】吉田体機工業株式会社ホームページ  商品一覧  ジャングルジム・キャッスルジム（http://yoshida-taiki.co.jp/class/jangurujimu.html）
【考案の概要】
【考案が解決しようとする課題】
【０００４】
ところでジャングルジムは、上記のように鉄パイプを一定間隔で組み合わせただけのものであるため、登攀ピッチが単調であり、しかも自然の風景と混ざり合って美しい景観や日陰を作ったりすることができないという不都合があった。
【０００５】
さらに、ジャングルジムは、その全長、全幅および全高にそれぞれ対応する長さの鉄パイプが必要なため、大きさの異なるものを作ることが容易でないという問題もあった。
【課題を解決するための手段】
【０００６】
この考案は上記課題を有利に解決した登攀運動系遊具を提供することを目的とするものであり、この考案の登攀運動系遊具は、板面と直交する方向へ互いに間隔を空けて配置される少なくとも２枚の基本構成板と、立った姿勢のそれら基本構成板に立った姿勢で両側端部をそれぞれそれら基本構成板に対し角度を持って結合される少なくとも１枚の連結板と、を具え、前記基本構成板および前記連結板にはそれぞれ、穴および／または切り欠きによって、互いに上辺の高さが異なる複数の手足掛け部が形成され、前記複数の手足掛け部の少なくとも一つは上辺が傾斜していることを特長とするものである。
【考案の効果】
【０００７】
かかるこの考案の登攀運動系遊具によれば、立った姿勢の基本構成板に対し立った姿勢の連結板の両側端部がそれぞれ角度を持って結合されて三次元的に構成されていて、それらの基本構成板および連結板にそれぞれ、穴および／または切り欠きによって、互いに上辺の高さが異なる複数の手足掛け部が形成され、それら複数の手足掛け部の少なくとも一つは上辺が傾斜しているので、その傾斜した上辺によって登攀ピッチが多様となり、しかも板で形成されることから自然の風景と混ざり合って美しい景観や日陰を作ることができる。そして基本構成板および連結板の枚数を増やすことで、大きさの異なるものを容易に作ることができる。
【０００８】
なお、この考案の登攀運動系遊具においては、前記基本構成板および前記連結板のうち少なくとも基本構成板の、前記複数の手足掛け部の少なくとも一つは上方に行くほど幅狭になっていると好ましい。このようにすれば、手足掛け部が木の枝のように見えるので、より自然の風景と混ざり合って美しい景観を作ることができる。
【０００９】
また、この考案の登攀運動系遊具においては、前記連結板は、鉛直に立った姿勢の前記基本構成板に鉛直に立った姿勢で両側端部をそれぞれそれら基本構成板に対し直角に結合されていると好ましい。このようにすれば、基本構成板と連結板とが強固な構造体を構成することができる。
【００１０】
さらに、この考案の登攀運動系遊具においては、前記基本構成板および／または前記連結板の下部にはベンチが水平に固定されていると好ましい。このようにすれば、基本構成板や連結板が作る日陰でベンチに座って休息することができる。
【図面の簡単な説明】
【００１１】
【図１】は、この考案の登攀運動系遊具の一実施例を示す斜視図である。
【図２】（ａ）および（ｂ）は、上記実施例の登攀運動系遊具を示す正面図および背面図である。
【図３】（ａ）および（ｂ）は、上記実施例の登攀運動系遊具を示す平面図および底面図である。
【図４】（ａ）および（ｂ）は、上記実施例の登攀運動系遊具を示す左側面図および右側面図である。
【図５】は、この考案の登攀運動系遊具の他の一実施例を示す斜視図である。
【図６】（ａ）および（ｂ）は、上記実施例の登攀運動系遊具を示す正面図および背面図である。
【図７】（ａ）および（ｂ）は、上記実施例の登攀運動系遊具を示す平面図および底面図である。
【図８】（ａ）および（ｂ）は、上記実施例の登攀運動系遊具を示す左側面図および右側面図である。
【考案を実施するための形態】
【００１２】
以下、この考案の実施の形態を図面に基づく実施例によって詳細に説明する。ここに、図１は、１２枚の基本構成板と１２枚の連結板とを具える、この考案の登攀運動系遊具の一実施例を示す斜視図であり、図２（ａ）および（ｂ）は、上記実施例の登攀運動系遊具を示す正面図および背面図であり、図３（ａ）および（ｂ）は、上記実施例の登攀運動系遊具を示す平面図および底面図であり、図４（ａ）および（ｂ）は、上記実施例の登攀運動系遊具を示す左側面図および右側面図である。
【００１３】
この実施例の登攀運動系遊具は、３枚横並びにされて１組とされた基本構成板１（図３（ａ），（ｂ）では水平方向へ延在する板）を、板面と直行する方向へ互いに間隔を空けて４組配置されて、基本構成板１を合計１２枚具えるとともに、立った姿勢のそれら基本構成板１の隣り合う組の間に、立った姿勢で両側端部をそれぞれそれら隣り合う組の基本構成板１に対し直角に結合される連結板２（図３（ａ），（ｂ）では垂直方向へ延在する板）を４枚ずつ配置されて、連結板２を合計１２枚具えている。なお、基本構成板１および連結板２の高さは、例えば、社団法人日本公園施設業協会の遊具の安全に関する規準JPFA-S:2008に合致させて、転落による重度の障害あるいは恒久的な障害を最小限とするため２ｍとされている。
【００１４】
ここで、各連結板２の側端部と基本構成板１とは、それら連結板２と基本構成板１とに木ネジ等で固定される断面Ｌ字状の連結金具３を介して互いに直角に結合され、各組の３枚の基本構成板１は、連結板２の側端部を介して互いに結合されている。
【００１５】
基本構成板１および連結板２にはそれぞれ、穴および切り欠きによって、互いに上辺の高さが異なる複数の手足掛け部１ａ，２ａが形成されており、この実施例ではそれら複数の手足掛け部１ａ，２ａの大部分は上辺が傾斜している。
【００１６】
そして基本構成板１および連結板２の複数の手足掛け部１ｂ，２ｂの大部分は上方に行くほど幅狭になっており、また基本構成板１および連結板２の下部には、図示しないブラケットを介してベンチ４が水平に固定されている。
【００１７】
この実施例の登攀運動系遊具によれば、立った姿勢の基本構成板１に対し立った姿勢の連結板２の両側端部がそれぞれ直角に結合されて三次元的に構成されていて、それらの基本構成板１および連結板２にそれぞれ、穴および切り欠きによって、互いに上辺の高さが異なる複数の手足掛け部１ａ，２ａが形成され、それら複数の手足掛け部１ａ，２ａの大部分は上辺が傾斜しているので、その傾斜した上辺によって登攀ピッチが多様となり、しかも板で形成されることから自然の風景と混ざり合って美しい景観や日陰を作ることができる。そして基本構成板１および連結板２の枚数を増やすことで、大きさの異なるものを容易に作ることができる。
【００１８】
また、この実施例の登攀運動系遊具によれば、基本構成板１および連結板２の複数の手足掛け部１ａ，２ａの大部分は上方に行くほど幅狭になっているため、手足掛け部１ａ，２ａが木の枝のように見えるので、より自然の風景と混ざり合って美しい景観を作ることができる。
【００１９】
さらに、この実施例の登攀運動系遊具によれば、連結板２は、鉛直に立った姿勢の基本構成板１に鉛直に立った姿勢で両側端部をそれぞれそれら基本構成板１に対し直角に結合されているので、基本構成板１と連結板２とがボックス構造の強固な構造体を構成することができる。
【００２０】
さらに、この実施例の登攀運動系遊具によれば、基本構成板１および連結板２の下部にベンチ４が水平に固定されているので、基本構成板１や連結板２が作る日陰でベンチ４に座って休息することができる。
【００２１】
図５は、６枚の基本構成板と６枚の連結板とを具える、この考案の登攀運動系遊具の他の一実施例を示す斜視図であり、図６（ａ）および（ｂ）は、上記実施例の登攀運動系遊具を示す正面図および背面図であり、図７（ａ）および（ｂ）は、上記実施例の登攀運動系遊具を示す平面図および底面図であり、図８（ａ）および（ｂ）は、上記実施例の登攀運動系遊具を示す左側面図および右側面図である。
【００２２】
この実施例の登攀運動系遊具は、２枚横並びにされて１組とされた基本構成板１（図７（ａ），（ｂ）では水平方向へ延在する板）を、板面と直行する方向へ互いに間隔を空けて３組配置されて、基本構成板１を合計６枚具えるとともに、立った姿勢のそれら基本構成板１の隣り合う組の間に、立った姿勢で両側端部をそれぞれそれら隣り合う組の基本構成板１に対し直角に結合される連結板２（図７（ａ），（ｂ）では垂直方向へ延在する板）を３枚ずつ配置されて、連結板２を合計６枚具えている。
【００２３】
ここで、各連結板２の側端部と基本構成板１とは、それら連結板２と基本構成板１とに木ネジ等で固定される断面Ｌ字状の連結金具３を介して互いに直角に結合され、各組の３枚の基本構成板１は、連結板２の側端部を介して互いに結合されている。
【００２４】
基本構成板１および連結板２にはそれぞれ、穴および切り欠きによって、互いに上辺の高さが異なる複数の手足掛け部１ａ，２ａが形成されており、この実施例ではそれら複数の手足掛け部１ａ，２ａの大部分は上辺が傾斜している。
【００２５】
そして基本構成板１および連結板２の複数の手足掛け部１ｂ，２ｂの大部分は上方に行くほど幅狭になっており、また基本構成板１および連結板２の下部には、図示しないブラケットを介してベンチ４が水平に固定されている。
【００２６】
この実施例の登攀運動系遊具によっても、先の実施例と同様の作用効果を奏することができる。
【００２７】
以上図示例に基づき説明したが、この考案は上記例に限定されるものでなく、例えば基本構成板と連結板の枚数は適宜増減することができ、基本構成板と連結板の結合角度は直角以外の角度としても良い。
【産業上の利用可能性】
【００２８】
かくしてこの考案の登攀運動系遊具によれば、立った姿勢の基本構成板に対し立った姿勢の連結板の両側端部がそれぞれ角度を持って結合されて三次元的に構成されていて、それらの基本構成板および連結板にそれぞれ、穴および／または切り欠きによって、互いに上辺の高さが異なる複数の手足掛け部が形成され、それら複数の手足掛け部の少なくとも一つは上辺が傾斜しているので、その傾斜した上辺によって登攀ピッチが多様となり、しかも板で形成されることから自然の風景と混ざり合って美しい景観や日陰を作ることができる。そして基本構成板および連結板の枚数を増やすことで、大きさの異なるものを容易に作ることができる。
【符号の説明】
【００２９】
１  基本構成板
１ａ  手足掛け部
２  連結板
２ａ  手足掛け部
３  連結金具
４  ベンチ
【図１】
0003165097.tif 000003
【図２】
0003165097.tif 000004
【図３】
0003165097.tif 000005
【図４】
0003165097.tif 000006
【図５】
0003165097.tif 000007
【図６】
0003165097.tif 000008
【図７】
0003165097.tif 000009
【図８】
0003165097.tif 000010